(57)【要約】【課題】給電先探索動作を行いながら医療機器に対して非接触給電を行っても、生体情報を正確に取得することができる医療機器の非接触給電システムを提供する。【解決手段】各医療機器の動作状態が監視され（Ｓ１）、いずれかの医療機器において電磁波干渉の影響を受けやすい処理を行っているか否かが判定され（Ｓ２）、いずれの医療機器においても電磁波干渉の影響を受けやすい処理を行っていない場合は、非接触給電器による給電先探索動作が開始され（Ｓ３）、給電先の存在が確認され且つその給電先に給電が必要である場合に（Ｓ４）、非接触給電が実行される（Ｓ５）。いずれかの医療機器で電磁波干渉の影響を受けやすい処理を実行中であると判定された場合は、非接触給電器による給電先探索動作が停止される（Ｓ６）。【選択図】図４
2013094228.tif 000002
【特許請求の範囲】
【請求項１】
それぞれ生体情報を取得すると共に非接触給電を必要とする少なくとも１つの医療機器と、
それぞれ給電先探索動作を行うと共に探索された前記医療機器への非接触給電を行う少なくとも１つの非接触給電器と、
前記少なくとも１つの医療機器および前記少なくとも１つの非接触給電器に接続され、いずれの前記医療機器においても電磁波干渉の影響を受けやすい処理を行っていない場合は、前記少なくとも１つの非接触給電器に給電先探索動作を行わせて非接触給電を実行させ、いずれかの前記医療機器において電磁波干渉の影響を受けやすい処理を行っている場合は、前記少なくとも１つの非接触給電器の給電先探索動作を停止させるホストマシンと
を備えたことを特徴とする医療機器の非接触給電システム。
【請求項２】
前記電磁波干渉の影響を受けやすい処理は、生体情報の取得に関わるアナログ処理を含む請求項１に記載の医療機器の非接触給電システム。
【請求項３】
前記ホストマシンは、いずれかの前記医療機器において電磁波干渉の影響を受けやすい処理を行っている場合に、前記医療機器が生体情報の取得動作に入るタイミングから取得したアナログの生体情報をＡ／Ｄ変換してメモリに格納するまでの間にわたって、前記少なくとも１つの非接触給電器の給電先探索動作を停止させる請求項１または２に記載の医療機器の非接触給電システム。
【請求項４】
前記少なくとも１つの医療機器は、超音波プローブが超音波装置本体に接続された超音波診断装置を含み、前記少なくとも１つの非接触給電器は、前記超音波プローブまたは前記超音波装置本体に非接触給電を行う請求項１〜３のいずれか一項に記載の医療機器の非接触給電システム。
【請求項５】
前記少なくとも１つの医療機器は、Ｘ線撮影装置を含み、前記少なくとも１つの非接触給電器は、前記Ｘ線撮影装置のＸ線電子カセッテに非接触給電を行う請求項１〜４のいずれか一項に記載の医療機器の非接触給電システム。
【請求項６】
前記少なくとも１つの医療機器は、内視鏡スコープが内視鏡プロセッサに接続された内視鏡システムを含み、前記少なくとも１つの非接触給電器は、前記内視鏡スコープまたは前記内視鏡プロセッサに非接触給電を行う請求項１〜５のいずれか一項に記載の医療機器の非接触給電システム。
【請求項７】
前記ホストマシンは、いずれかの前記医療機器または前記非接触給電器に内蔵される、あるいは、前記少なくとも１つの医療機器および前記少なくとも１つの非接触給電器を接続する通信回線のアクセスポイントに内蔵される、あるいは、非接触給電用リピータに内蔵される請求項１〜６のいずれか一項に記載の医療機器の非接触給電システム。
【請求項８】
少なくとも１つの医療機器の動作状態を監視し、
いずれかの前記医療機器において電磁波干渉の影響を受けやすい処理を行っているか否かを判定し、
いずれの前記医療機器においても電磁波干渉の影響を受けやすい処理を行っていない場合は、少なくとも１つの非接触給電器に給電先探索動作を行わせて探索された前記医療機器への非接触給電を実行させ、いずれかの前記医療機器において電磁波干渉の影響を受けやすい処理を行っている場合は、前記少なくとも１つの非接触給電器の給電先探索動作を停止させる
ことを特徴とする医療機器の非接触給電方法。
【発明の詳細な説明】
【技術分野】
【０００１】
この発明は、医療機器の非接触給電システムおよび方法に係り、特に、非接触給電器が給電先探索動作を行って、探索された医療機器へ非接触給電を行うシステムに関する。
【背景技術】
【０００２】
従来から、医療分野において、超音波画像を利用した超音波診断装置が実用化されている。一般に、この種の超音波診断装置は、超音波装置本体に接続された超音波プローブから被検体内に向けて超音波ビームを送信し、被検体からの超音波エコーを超音波プローブで受信して、その受信信号を電気的に処理することにより超音波装置本体で被検体の断層画像が生成される。
近年、超音波プローブと超音波装置本体との間を接続する通信ケーブルの煩わしさを解消して操作性を向上させるために、超音波プローブと超音波装置本体とを無線通信により接続する超音波診断装置が考案されている。このような無線式の超音波診断装置では、超音波プローブ内に電源としてバッテリが内蔵されており、必要に応じて非接触で超音波プローブ内のバッテリに給電がなされる。
【０００３】
超音波診断装置における断層画像以外にも、Ｘ線による被検体の透視画像を生成するＸ線撮影装置、体内の観察画像を生成する内視鏡システム等、生体情報としての診断画像を取得する各種の医療機器が使用されているが、操作性向上のために、Ｘ線撮影装置においても、例えば特許文献１に、Ｘ線電子カセッテがＸ線コンソールに無線接続されたものが開示されており、複数のＸ線電子カセッテに対して給電器から非接触で給電が行われる。
同様にして、内視鏡システムにおいても、特許文献２に、内視鏡スコープが内視鏡プロセッサに無線接続されたものが開示されており、内視鏡スコープへの給電が非接触で行われる。
【先行技術文献】
【特許文献】
【０００４】
【特許文献１】特開２０１０−１５４８９７号公報
【特許文献２】国際公開ＷＯ２００５／０７７２４９号
【発明の概要】
【発明が解決しようとする課題】
【０００５】
特許文献１に開示された給電器のように、磁界共鳴方式等により、例えば１０ｃｍ以上の距離を隔てて長距離非接触給電を行う場合には、通常、図１２に示されるように、給電器から所定の時間間隔で所定強度の電磁波Ｗを間欠発振することにより、給電先の受電器の存在を探索し、存在が確認された受電器に対して給電が行われる。
このため、実際に給電が実施されていない期間であっても、給電器から間欠的に電磁波Ｗが発振されており、この電磁波Ｗに起因して、医療機器で取得された診断画像にアーチファクト等の傷害が発生するおそれがあった。
また、非接触給電を行う医療機器の近傍に、他の医療機器が設置されている場合には、他の医療機器で生体情報を取得する際にも、給電器から発せられる給電先探索のための電磁波Ｗが影響を及ぼし、診断画像の劣化、機器の性能低下、誤動作等を引き起こすおそれがある。
【０００６】
この発明は、このような従来の問題点を解消するためになされたもので、給電先探索動作を行いながら医療機器に対して非接触給電を行っても、生体情報を正確に取得することができる医療機器の非接触給電システムおよび方法を提供することを目的とする。
【課題を解決するための手段】
【０００７】
この発明に係る医療機器の非接触給電システムは、それぞれ生体情報を取得すると共に非接触給電を必要とする少なくとも１つの医療機器と、それぞれ給電先探索動作を行うと共に探索された医療機器への非接触給電を行う少なくとも１つの非接触給電器と、少なくとも１つの医療機器および少なくとも１つの非接触給電器に接続され、いずれの医療機器においても電磁波干渉の影響を受けやすい処理を行っていない場合は、少なくとも１つの非接触給電器に給電先探索動作を行わせて非接触給電を実行させ、いずれかの医療機器において電磁波干渉の影響を受けやすい処理を行っている場合は、少なくとも１つの非接触給電器の給電先探索動作を停止させるホストマシンとを備えたものである。
【０００８】
電磁波干渉の影響を受けやすい処理としては、生体情報の取得に関わるアナログ処理を挙げることができる。
ホストマシンは、いずれかの医療機器において電磁波干渉の影響を受けやすい処理を行っている場合に、医療機器が生体情報の取得動作に入るタイミングから取得したアナログの生体情報をＡ／Ｄ変換してメモリに格納するまでの間にわたって、少なくとも１つの非接触給電器の給電先探索動作を停止させることが好ましい。
【０００９】
少なくとも１つの医療機器は、超音波プローブが超音波装置本体に接続された超音波診断装置を含み、少なくとも１つの非接触給電器は、超音波プローブまたは超音波装置本体に非接触給電を行うように構成することができる。あるいは、少なくとも１つの医療機器は、Ｘ線撮影装置を含み、少なくとも１つの非接触給電器は、Ｘ線撮影装置のＸ線電子カセッテに非接触給電を行うように構成することもできる。また、少なくとも１つの医療機器は、内視鏡スコープが内視鏡プロセッサに接続された内視鏡システムを含み、少なくとも１つの非接触給電器は、内視鏡スコープまたは内視鏡プロセッサに非接触給電を行うように構成してもよい。
ホストマシンは、いずれかの医療機器または非接触給電器に内蔵することもでき、あるいは、少なくとも１つの医療機器および少なくとも１つの非接触給電器を接続する通信回線のアクセスポイントに内蔵することもでき、あるいは、非接触給電用リピータに内蔵することもできる。
【００１０】
この発明に係る医療機器の非接触給電方法は、少なくとも１つの医療機器の動作状態を監視し、いずれかの医療機器において電磁波干渉の影響を受けやすい処理を行っているか否かを判定し、いずれの医療機器においても電磁波干渉の影響を受けやすい処理を行っていない場合は、少なくとも１つの非接触給電器に給電先探索動作を行わせて探索された医療機器への非接触給電を実行させ、いずれかの医療機器において電磁波干渉の影響を受けやすい処理を行っている場合は、少なくとも１つの非接触給電器の給電先探索動作を停止させる方法である。
【発明の効果】
【００１１】
この発明によれば、少なくとも１つの医療機器のうち、いずれの医療機器においても電磁波干渉の影響を受けやすい処理を行っていない場合は、非接触給電器に給電先探索動作を行わせて探索された医療機器への非接触給電を実行させ、いずれかの医療機器において電磁波干渉の影響を受けやすい処理を行っている場合は、非接触給電器の給電先探索動作を停止させるので、給電先探索動作を行いながら医療機器に対して非接触給電を行っても、生体情報を正確に取得することが可能となる。
【図面の簡単な説明】
【００１２】
【図１】この発明の実施の形態１に係る医療機器の非接触給電システムの構成を示すブロック図である。
【図２】実施の形態１に用いられた超音波プローブの内部構成を示すブロック図である。
【図３】実施の形態１における非接触給電器と医療機器との位置関係を示す図である。
【図４】実施の形態１の動作を示すフローチャートである。
【図５】実施の形態２に係る医療機器の非接触給電システムの構成を示すブロック図である。
【図６】実施の形態２における非接触給電器と医療機器との位置関係を示す図である。
【図７】実施の形態２における複数の医療機器の動作状況を示す図である。
【図８】実施の形態３に係る医療機器の非接触給電システムの構成を示すブロック図である。
【図９】実施の形態３における非接触給電器と医療機器との位置関係を示す図である。
【図１０】実施の形態４に係る医療機器の非接触給電システムの構成を示すブロック図である。
【図１１】実施の形態５に係る医療機器の非接触給電システムの構成を示すブロック図である。
【図１２】長距離非接触給電を行う給電器から発せられる電磁波を示す図である。
【発明を実施するための形態】
【００１３】
以下、この発明の実施の形態を添付図面に基づいて説明する。
実施の形態１
図１に、実施の形態１に係る医療機器の非接触給電システムの構成を示す。医療機器としての超音波診断装置１は、超音波装置本体１ａと、超音波装置本体１ａに無線接続された超音波プローブ１ｂを有し、超音波装置本体１ａが有線による通信回線Ｌを介してホストマシンＨに接続されている。また、非接触給電器Ｆ１が、通信回線Ｌを介してホストマシンＨに接続されている。
【００１４】
図２に示されるように、超音波プローブ１ｂは、アレイトランスデューサ１１を有しており、このアレイトランスデューサ１１に送信回路１２および受信回路１３が接続されると共に受信回路１３に無線通信部１４が接続され、送信回路１２、受信回路１３および無線通信部１４にプローブ制御部１５が接続されている。また、超音波プローブ１ｂにバッテリ１６が内蔵されており、バッテリ１６に受電器１７が接続されている。
【００１５】
アレイトランスデューサ１１は、１次元又は２次元のアレイ状に配列された複数の超音波トランスデューサを有し、送信回路１２は、プローブ制御部１５からの制御信号に基づきアレイトランスデューサ１１の複数の超音波トランスデューサに駆動信号を供給して超音波ビームを送信する。受信回路１３は、超音波エコーを受けたアレイトランスデューサ１１の各超音波トランスデューサから出力される受信信号を増幅してＡ／Ｄ変換した後、プローブ制御部１５からの制御信号に基づいて受信フォーカス処理を行い、音線信号を生成する。無線通信部１４は、受信回路１３で生成された音線信号を無線により超音波装置本体１ａに送信する。超音波プローブ１ｂの無線通信部１４を介して音線信号を受信した超音波装置本体１ａにより超音波断層画像が生成され、表示される。
【００１６】
バッテリ１６は、超音波プローブ１ｂの電源として機能し、超音波プローブ１ｂ内の電力を必要とする各部に電力を供給する。プローブ制御部１５によりバッテリ１６の残量が監視されており、バッテリ残量が所定のしきい値以下に低下すると、プローブ制御部１５から無線通信部１４を介して超音波装置本体１ａにバッテリ１６への給電を要する旨が通知される。
【００１７】
非接触給電器Ｆ１は、所定の時間間隔で所定強度の電磁波を間欠発振し、給電先の超音波プローブ１ｂの存在を探索し、存在が確認された超音波プローブ１ｂの受電器１７に対して例えば磁界共鳴方式により非接触給電を行う。給電を行う際には、給電先探索動作を行うときに発せられる電磁波よりも大きな強度の電磁波が使用され、図３に示されるように、通常、非接触給電器Ｆ１から給電用の電磁波を受けて給電可能な領域Ｒ１は、給電先探索動作時に探索可能な領域Ｒ２よりも大きく設定されている。
【００１８】
次に、実施の形態１の動作について図４のフローチャートを参照して説明する。
まず、ステップＳ１で、ホストマシンＨは、医療機器である超音波診断装置１の動作状態を監視する。すなわち、通信回線Ｌを介して超音波診断装置１の超音波装置本体１ａから動作状態がホストマシンＨに収集される。
ステップＳ２で、ホストマシンＨは、収集された動作状態から、超音波診断装置１で電磁波干渉の影響を受けやすい処理を実行中であるか否かを判定する。ここで、電磁波干渉の影響を受けやすい処理とは、生体情報である超音波画像の取得に関わるアナログ処理のことを意味し、例えば、超音波プローブ１ｂの送信回路１２がアレイトランスデューサ１１の複数の超音波トランスデューサに駆動信号を供給してから、受信回路１３で生成された音線信号を超音波装置本体１ａに無線送信して超音波装置本体１ａ内のメモリに格納されるまでの処理が行われているか否かが判定される。
【００１９】
なお、ステップＳ１およびＳ２の代わりに、超音波診断装置１の超音波装置本体１ａにて電磁波干渉の影響を受けやすい処理を実行中であるか否かを判定し、実行中であると判定された場合のみホストマシンＨにその情報を送信するシステム構成としてもよい。すなわち、超音波装置本体１ａから前記情報をホストマシンＨが受信しない場合は、電磁波干渉の影響を受けやすい処理を実行していないと判定する。
【００２０】
そして、電磁波干渉の影響を受けやすい処理が行われていないと判定された場合は、ステップＳ３で、ホストマシンＨからの指示に基づき非接触給電器Ｆ１による給電先探索動作が開始される。すなわち、非接触給電器Ｆ１から、所定の時間間隔で所定強度の電磁波が間欠発振され、給電先である超音波プローブ１ｂの受電器１７の存在が探索される。
探索の結果、ステップＳ４で、超音波プローブ１ｂの受電器１７の存在が確認され、さらに、超音波装置本体１ａを介して、超音波プローブ１ｂへの給電が必要である旨を認知すると、ステップＳ５に進み、ホストマシンＨから非接触給電器Ｆ１は給電実行の指示がなされる。これにより、例えば磁界共鳴方式により超音波プローブ１ｂの受電器１７に対して非接触給電が行われ、バッテリ１６が充電される。
【００２１】
なお、ステップＳ４で、超音波プローブ１ｂの受電器１７の存在が確認されても、バッテリ１６の残量が所定のしきい値以下にまで低下していないために、まだ給電が必要でない場合には、給電を実行することなく、ステップＳ１に戻って超音波診断装置１の動作状態の監視が繰り返される。
また、ステップＳ２で、超音波診断装置１において電磁波干渉の影響を受けやすい処理が実行中であると判定された場合は、ステップＳ６に進み、ホストマシンＨは、非接触給電器Ｆ１による給電先探索動作を停止したまま、ステップＳ１に戻って超音波診断装置１の動作状態の監視を繰り返す。
【００２２】
このように、超音波診断装置１において電磁波干渉の影響を受けやすい処理が実行されていない場合に限り、非接触給電器Ｆ１による給電先探索動作を開始して給電を実行させ、超音波診断装置１において電磁波干渉の影響を受けやすい処理が実行中である場合には、非接触給電器Ｆ１による給電先探索動作を停止状態とするので、給電先探索動作のために間欠発振される電磁波の影響を受けることなく、生体情報である超音波断層画像を正確に取得することが可能となる。
【００２３】
実施の形態２
図５に、実施の形態２に係る医療機器の非接触給電システムの構成を示す。このシステムは、図１に示した実施の形態１のシステムにおいて、さらに、医療機器として、超音波診断装置２と２台のＸ線撮影装置３および４を備えたものである。超音波診断装置２は、超音波装置本体２ａと、超音波装置本体２ａに無線接続された超音波プローブ２ｂを有し、Ｘ線撮影装置３は、Ｘ線コンソール３ａと、Ｘ線コンソール３ａに無線接続されたＸ線電子カセッテ３ｂを有し、Ｘ線撮影装置４は、Ｘ線コンソール４ａと、Ｘ線コンソール４ａに無線接続されたＸ線電子カセッテ４ｂを有している。
【００２４】
超音波プローブ２ｂは、図２に示した超音波プローブ１ｂと同様の内部構成を有しており、超音波装置本体２ａは、超音波プローブ２ｂからの無線通信により、超音波プローブ２ｂへの給電を要するか否かを把握している。
Ｘ線電子カセッテ３ｂおよび４ｂは、それぞれ、Ｘ線撮影された画像を電子的に記録するもので、バッテリを内蔵しており、Ｘ線コンソール３ａおよび４ａは、Ｘ線電子カセッテ３ｂおよび４ｂの内蔵バッテリへの給電を要するか否かを把握しているものとする。
そして、超音波装置本体２ａ、Ｘ線コンソール３ａおよび４ａが、通信回線Ｌを介してホストマシンＨに接続されている。
【００２５】
この実施の形態２においては、非接触給電器Ｆ１が超音波プローブ１ｂおよび２ｂとＸ線電子カセッテ３ｂおよび４ｂのそれぞれに対して非接触給電を行うように構成されており、図６に示されるように、非接触給電器Ｆ１の探索可能な領域Ｒ２内に、これら超音波プローブ１ｂおよび２ｂとＸ線電子カセッテ３ｂおよび４ｂが位置しているときには、いずれの超音波プローブまたはＸ線電子カセッテに対しても非接触給電を行うことが可能となる。
【００２６】
実施の形態２の動作は、図４に示した実施の形態１におけるフローチャートと同様にして行われる。
すなわち、ステップＳ１で、超音波診断装置１および２とＸ線撮影装置３および４のそれぞれの医療機器の動作状態が監視され、ステップＳ２で、いずれかの医療機器において電磁波干渉の影響を受けやすい処理を行っているか否かが判定される。
【００２７】
例えば、図７に示されるように、超音波診断装置１および２で、患者情報入力、断層像撮影、検査ログ伝送等の各処理が行われ、Ｘ線撮影装置３および４で、患者情報入力、Ｘ線撮影、キャリブレーション等の各処理が行われるものとする。患者情報入力の処理は、電磁波干渉の影響を受けやすいものではないが、超音波診断装置１および２における断層像撮影の処理と検査ログを超音波装置本体１ａおよび２ａへ伝送する処理は、超音波画像の取得に関わるアナログ処理を含み、電磁波干渉の影響を受けやすいものである。同様に、Ｘ線撮影装置３および４におけるＸ線撮影の処理と、オフセット画像の取得を要する画像パラメータのキャリブレーション処理は、Ｘ線画像の取得に関わるアナログ処理を含み、電磁波干渉の影響を受けやすいものである。
【００２８】
その結果、図７に示される例では、時刻Ｔ０〜Ｔ１の期間、時刻Ｔ２〜Ｔ３の期間および時刻Ｔ４以降は、超音波診断装置１および２とＸ線撮影装置３および４のうちいずれかの医療機器で電磁波干渉の影響を受けやすい処理を実行中であり、時刻Ｔ１〜Ｔ２の期間と時刻Ｔ３〜Ｔ４の期間は、いずれの医療機器においても電磁波干渉の影響を受けやすい処理を実行していない期間となる。
【００２９】
このため、時刻Ｔ１〜Ｔ２の期間または時刻Ｔ３〜Ｔ４の期間においては、ステップＳ２で、いずれの医療機器においても電磁波干渉の影響を受けやすい処理を行っていないと判定され、ステップＳ３で、非接触給電器Ｆ１による給電先探索動作が開始される。そして、ステップＳ４で、給電先の存在が確認され、さらに、その給電先に給電が必要である場合に、ステップＳ５で非接触給電が行われる。
一方、ステップＳ２で、超音波診断装置１および２とＸ線撮影装置３および４のうちいずれかの医療機器で電磁波干渉の影響を受けやすい処理を実行中であると判定された場合は、ステップＳ６に進み、非接触給電器Ｆ１による給電先探索動作が停止される。
【００３０】
このように、非接触給電器Ｆ１から複数の医療機器にそれぞれ非接触給電を行う構成としても、いずれの医療機器においても電磁波干渉の影響を受けやすい処理が実行されていない場合に限り、非接触給電器Ｆ１による給電先探索動作を開始して給電を実行させ、いずれかの医療機器で電磁波干渉の影響を受けやすい処理を実行中である場合には、非接触給電器Ｆ１による給電先探索動作を停止状態とするので、給電先探索動作のために間欠発振される電磁波の影響を受けることなく、生体情報である超音波断層画像およびＸ線透視画像を正確に取得することが可能となる。
【００３１】
実施の形態３
図８に、実施の形態３に係る医療機器の非接触給電システムの構成を示す。このシステムは、図５に示した実施の形態２のシステムにおいて、さらに、医療機器として、内視鏡システム５を備えると共に、非接触給電器Ｆ１の他に２台目の非接触給電器Ｆ２を備えたものである。内視鏡システム５は、内視鏡プロセッサ５ａと、内視鏡プロセッサ５ａに無線接続された内視鏡スコープ５ｂを有している。
内視鏡スコープ５ｂは、被検体内の観察像を撮影するもので、バッテリを内蔵しており、内視鏡プロセッサ５ａは、内視鏡スコープ５ｂの内蔵バッテリへの給電を要するか否かを把握しているものとする。
そして、内視鏡プロセッサ５ａおよび非接触給電器Ｆ２が、通信回線Ｌを介してホストマシンＨに接続されている。
【００３２】
この実施の形態３においては、非接触給電器Ｆ１と非接触給電器Ｆ２のいずれかで超音波プローブ１ｂおよび２ｂとＸ線電子カセッテ３ｂおよび４ｂと内視鏡スコープ５ｂのそれぞれに非接触給電を行うように構成されている。図９に示されるように、非接触給電器Ｆ１およびＦ２は、それぞれ、給電可能な領域Ｒ１と、探索可能な領域Ｒ２とを有しており、それぞれの探索可能領域Ｒ２内に位置する医療機器に対して非接触給電を行うことができる。図９では、超音波プローブ１ｂおよびＸ線電子カセッテ３ｂが非接触給電器Ｆ１の探索可能領域Ｒ２内に位置するので、これら超音波プローブ１ｂおよびＸ線電子カセッテ３ｂに対しては非接触給電器Ｆ１により非接触給電が行われる。一方、超音波プローブ２ｂ、Ｘ線電子カセッテ４ｂおよび内視鏡スコープ５ｂが非接触給電器Ｆ２の探索可能領域Ｒ２内に位置するので、これら超音波プローブ２ｂ、Ｘ線電子カセッテ４ｂおよび内視鏡スコープ５ｂに対しては非接触給電器Ｆ２により非接触給電が行われる。
【００３３】
実施の形態３の動作は、図４に示した実施の形態１におけるフローチャートと同様にして行われる。
すなわち、ステップＳ１で、超音波診断装置１および２とＸ線撮影装置３および４と内視鏡システム５のそれぞれの医療機器の動作状態が監視され、ステップＳ２で、いずれかの医療機器において電磁波干渉の影響を受けやすい処理を行っているか否かが判定される。
【００３４】
いずれの医療機器においても電磁波干渉の影響を受けやすい処理を行っていない場合は、ステップＳ３で、非接触給電器Ｆ１およびＦ２による給電先探索動作が開始される。そして、ステップＳ４で、給電先の存在が確認され、さらに、その給電先に給電が必要である場合に、ステップＳ５で非接触給電器Ｆ１およびＦ２からそれぞれ探索により存在が確認された医療機器に対して非接触給電が行われる。
一方、ステップＳ２で、いずれかの医療機器において電磁波干渉の影響を受けやすい処理を実行中であると判定された場合は、ステップＳ６に進み、非接触給電器Ｆ１およびＦ２による給電先探索動作が停止される。
このようにすることで、給電先探索動作のために間欠発振される電磁波の影響を受けることなく、生体情報である超音波断層画像、Ｘ線透視画像および内視鏡観察画像を正確に取得することが可能となる。
【００３５】
実施の形態４
図１０に、実施の形態４に係る医療機器の非接触給電システムの構成を示す。このシステムは、図１に示した実施の形態１のシステムにおいて、超音波診断装置１の代わりに超音波診断装置２１を用いたものである。この超音波診断装置２１は、超音波装置本体２１ａと、超音波装置本体２１ａにそれぞれ無線接続された超音波プローブ２１ｂおよび２１ｃを有しており、超音波装置本体２１ａが通信回線Ｌを介してホストマシンＨに接続されている。
超音波プローブ２１ｂおよび２１ｃは、それぞれ図２に示した超音波プローブ１ｂと同様の内部構成を有するものの、互いに異なる種類のプローブであり、診断目的、診断部位等に応じて超音波プローブ２１ｂおよび２１ｃの一方を選択的に使用して診断が行われる。また、超音波装置本体２１ａは、超音波プローブ２１ｂおよび２１ｃからの無線通信により、超音波プローブ２１ｂおよび２１ｃへの給電を要するか否かを把握している。
【００３６】
このように複数の超音波プローブ２１ｂおよび２１ｃを有する超音波診断装置２１に対しても、実施の形態１と同様にして、給電先探索動作のために間欠発振される電磁波の影響を受けることなく、生体情報である超音波断層画像を正確に取得することが可能となる。
【００３７】
なお、超音波プローブと超音波装置本体とが有線接続され、超音波装置本体に内蔵されたバッテリに対して非接触給電する場合にも、同様にして上記の実施の形態１〜４を適用することができる。また、内視鏡スコープと内視鏡プロセッサとが有線接続され、内視鏡プロセッサに内蔵されたバッテリに対して非接触給電する場合にも、同様にして上記の実施の形態３を適用することができる。
【００３８】
実施の形態５
上記の実施の形態１〜４では、ホストマシンＨが、有線による通信回線Ｌを介して少なくとも１つの医療機器に接続されていたが、無線回線を介して医療機器に接続されていてもよい。この場合、例えば、図１１に示されるように、無線通信のアクセスポイントにホストマシンＨを内蔵することもできる。図１１では、病院内の院内情報システムのアクセスポイントにホストマシンＨが内蔵されている。無線回線としては、無線ＬＡＮ、赤外線通信、超音波通信、レーザ通信等を利用することができる。
また、ホストマシンＨを、いずれかの医療機器、あるいは、いずれかの非接触給電器に内蔵することもできる。
さらに、非接触給電の可能領域を拡げるために非接触給電用リピータを設置してもよく、この場合、ホストマシンＨを非接触給電用リピータに内蔵することもできる。
【００３９】
図４のフローチャートのステップＳ１における、各医療機器の動作状態の監視は、一定時間間隔または予め設定されたタイムスケジュールに従って動作状態の情報を取得する、いわゆるタイムドリブン方式により行うことができる。あるいは、各医療機器の動作状態の監視を、各医療機器による生体情報の取得をトリガとする等により、いわゆるイベントドリブン方式で行ってもよい。この場合、生体情報の取得をトリガとする代わりに、赤外線センサ、超音波センサ等を用いて、医療機器の設置、移動等の準備動作を検出し、これをトリガとすることもできる。
また、上記の実施の形態１〜５では、非接触給電器Ｆ１およびＦ２が、磁界共鳴方式により非接触給電を行ったが、これに限るものではなく、レーザ送電、超音波送電、光送電、マイクロ波送電等により長距離非接触給電を行うことができる。
【符号の説明】
【００４０】
１，２，２１  超音波プローブ、１ａ，２ａ，２１ａ  超音波装置本体、１ｂ，２ｂ，２１ｂ，２１ｃ  超音波プローブ、３，４  Ｘ線撮影装置、３ａ，４ａ  Ｘ線コンソール、３ｂ，４ｂ  Ｘ線電子カセッテ、５  内視鏡システム、５ａ  内視鏡プロセッサ、５ｂ  内視鏡スコープ、１１  アレイトランスデューサ、１２  送信回路、１３  受信回路、１４  無線通信部、１５  プローブ制御部、１６  バッテリ、１７  受電器、Ｈ  ホストマシン、Ｆ１，Ｆ２  非接触給電器、Ｌ  通信回線、Ｒ１  給電可能な領域、Ｒ２  探索可能な領域、Ｗ  電磁波。
【図１】
2013094228.tif 000003
【図２】
2013094228.tif 000004
【図３】
2013094228.tif 000005
【図４】
2013094228.tif 000006
【図５】
2013094228.tif 000007
【図６】
2013094228.tif 000008
【図７】
2013094228.tif 000009
【図８】
2013094228.tif 000010
【図９】
2013094228.tif 000011
【図１０】
2013094228.tif 000012
【図１１】
2013094228.tif 000013
【図１２】
2013094228.tif 000014